(57)【要約】【課題】  簡便な構造で、多種多様な棚の前面にある落下防止柵にがたつきがなく設置可能であって、展示物品の出し入れ時にもがたつくことなく、長期間の展示であっても物品を安定して保持できる展示部物品保持具を提供すること。【解決手段】  上面を開口した函状体で内部に展示物品を保持する保持部と、保持部の背面上部に位置し保持部を陳列棚の柵等に掛止する掛止部を有する展示物品保持具であって、掛止部は、背面に対向し平行な対向面を成す掛止板と、背面を成す背板と掛止板を上方で接続する上板で形成されており、上板の裏面には、掛止板に対向して着脱自在に配置され、掛止板との間に陳列棚周縁の柵等を狭持する狭持板を備えることを特徴とする展示物品保持具とする。【選択図】  図１
2010172508.tif 000002
【特許請求の範囲】
【請求項１】
上面を開口した函状体で内部に展示物品を保持する保持部と、
前記保持部の背面上部に位置し前記保持部を陳列棚の柵等に掛止する掛止部を有する展示物品保持具であって、
前記掛止部は、前記背面に対向し平行な対向面を成す掛止板と、前記背面を成す背板と前記掛止板を上方で接続する上板で形成されており、
前記上板の裏面には、前記掛止板に対向して着脱自在に配置され、前記掛止板との間に陳列棚周縁の柵等を狭持する狭持板を備えることを特徴とする展示物品保持具。
【請求項２】
前記狭持板が湾曲しており、前記掛止板との最近接部分に該掛止板に平行な平面部分を有することを特徴とする請求項１に記載の展示物品保持具。
【請求項３】
前記平面部分の前記掛止板と対向する側の面に滑り止め部を有することを特徴とする請求項２に記載の展示物品保持具。
【請求項４】
前記狭持板は、側面視略Ｓ字状をなすことを特徴とする請求項１乃至３の何れかに記載の展示物品保持具。
【請求項５】
前記保持部の左右側面の一方に係合部を、他方に被係合部を夫々備え、これら係合部と被係合部とを互いに係合することにより複数個連結可能であることを特徴とする請求項１乃至４の何れかに記載の展示物品保持具。
【請求項６】
前記保持部の前面を覆う透明部材を備えることを特徴とする請求項１乃至５の何れかに記載の展示物品保持具。
【請求項７】
前記保持部の幅が、前記保持部に保持される展示物品の幅と略同じであることを特徴とする請求項１乃至６の何れかに記載の展示物品保持具。
【請求項８】
前記保持部に保持される展示物品が、円筒形容器である請求項１乃至７の何れかに記載の展示物品保持具。
【請求項９】
前記保持部に保持される展示物品が、化粧料用容器である請求項１乃至８の何れかに記載の展示物品保持具。
【請求項１０】
前記掛止板の少なくとも一方の側端部において、前記掛止板と直角を成し、前記掛止板の後方へ延伸するように立設される仕切り板が着脱可能に設けられていることを特徴とする請求項1乃至９の何れかに記載の展示物品保持具。
【請求項１１】
前記仕切り板は、後方部分の高さが、前方部分の高さより高いことを特徴とする請求項１０に記載の展示物品保持具。
【発明の詳細な説明】
【技術分野】
【０００１】
本発明は、容器に封入された化粧料等の商品或いは試供品を展示するための物品展示用の保持具に関する。
【背景技術】
【０００２】
一般に、コンビニエンスストアやドラッグストア等の店内では、多段式の商品棚に多種多様の商品が商品毎に適宜区分され陳列されている。
特に、ボトルやスプレー容器に収容された芳香剤、整髪剤、制汗剤等の化粧料のような流体の商品では、容器が商品棚の手前から奥に向けて並べられて、商品毎に１列乃至数列に整列されて置かれている。
【０００３】
このような商品では、その香りや使用感を実感させるため、試供品等の展示物品を商品列の最前面に置き買い物客に試用させることが一般に行われている。
【０００４】
しかし、展示物品が商品列の最前面に置かれていては、商品取り出しに際して一旦展示物品を退けて商品を取り出し、再び展示物品を戻さなければならず、非常に手間であった。
【０００５】
そこで、商品棚の各段前面に配設された商品の落下を防止するための立板やフレーム等（以下、総称して落下防止柵という）に掛止させて展示物品を商品棚の前面に張り出して保持する展示物品保持具（例えば特許文献１，２参照）や、商品棚前端に位置し値札等を表示するカードを狭持するカードレールに係止させて展示物品を保持する展示物品保持具（例えば特許文献３〜５参照）等が提案され実現されている。
【０００６】
しかしながら、特許文献１に記載の展示物品保持具は単に落下防止柵に掛止して使用される物であり落下防止柵の厚みや形状が異なれば、がたつきを生じ落下する或いは保持している展示物品を落下させる場合がある。
【０００７】
これに対し特許文献２に記載の展示物品保持具は、折り曲げ可能な金属製の掛け板を落下防止柵に合わせて変形させて掛止するため設置時のがたつきは解消できるが、掛け板が人や物の接触等の外力により容易に変形してしまいがたつきを生じうるので長期間の展示物品保持や出し入れを繰り返す展示物品の保持には適していない。
【０００８】
一方、特許文献３乃至５のようにカードレールに係止させる展示物品保持具は、がたつきを生じることなく安定して展示物品を保持できるが、取り付けには専用のレールが必要であり、汎用性に乏しく又レール設置等でコストアップになる。
【先行技術文献】
【特許文献】
【０００９】
【特許文献１】特開２００５−５８２８６号公報
【特許文献２】特開平９−２４８２３４号公報
【特許文献３】特開２００２−６５４１７号公報
【特許文献４】特開２００２−２９１５９１号公報
【特許文献５】特開２００６−２３０８１８号公報
【発明の概要】
【発明が解決しようとする課題】
【００１０】
本発明が解決しようとする課題は、簡便な構造で、多種多様な棚の前面にある落下防止柵にがたつきがなく設置可能であって、展示物品の出し入れ時にもがたつくことなく、長期間の展示であっても物品を安定して保持できる展示部物品保持具を提供することである。
【課題を解決するための手段】
【００１１】
請求項１に係る発明は、上面を開口した函状体で内部に展示物品を保持する保持部と、前記保持部の背面上部に位置し前記保持部を陳列棚の柵等に掛止する掛止部を有する展示物品保持具であって、前記掛止部は、前記背面に対向し平行な対向面を成す掛止板と、前記背面を成す背板と前記掛止板を上方で接続する上板で形成されており、前記上板の裏面には、前記掛止板に対向して着脱自在に配置され、前記掛止板との間に陳列棚周縁の柵等を狭持する狭持板を備えることを特徴とする展示物品保持具に関する。
【００１２】
請求項２に係る発明は、前記狭持板が湾曲しており、前記掛止板との最近接部分に該掛止板に平行な平面部分を有することを特徴とする請求項１に記載の展示物品保持具に関する。
【００１３】
請求項３に係る発明は、前記平面部分の前記掛止板と対向する側の面に滑り止め部を有することを特徴とする請求項２に記載の展示物品保持具に関する。
【００１４】
請求項４に係る発明は、前記狭持板は、側面視略Ｓ字状をなすことを特徴とする請求項１乃至３の何れかに記載の展示物品保持具に関する。
【００１５】
請求項５に係る発明は、前記保持部の左右側面の一方に係合部を、他方に被係合部を夫々備え、これら係合部と被係合部とを互いに係合することにより複数個連結可能であることを特徴とする請求項１乃至４の何れかに記載の展示物品保持具に関する。
【００１６】
請求項６に係る発明は、前記保持部の前面を覆う透明部材を備えることを特徴とする請求項１乃至５の何れかに記載の展示物品保持具に関する。
【００１７】
請求項７に係る発明は、前記保持部の幅が、前記保持部に保持される展示物品の幅と略同じであることを特徴とする請求項１乃至６の何れかに記載の展示物品保持具に関する。
【００１８】
請求項８に係る発明は、前記保持部に保持される展示物品が、円筒形容器である請求項１乃至７の何れかに記載の展示物品保持具に関する。
【００１９】
請求項９に係る発明は、前記保持部に保持される展示物品が、化粧料用容器である請求項１乃至８の何れかに記載の展示物品保持具に関する。
【００２０】
請求項１０に係る発明は、前記掛止板の少なくとも一方の側端部において、前記掛止板と直角を成し、前記掛止板の後方へ延伸するように立設される仕切り板が着脱可能に設けられていることを特徴とする請求項1乃至９の何れかに記載の展示物品保持具に関する。
【００２１】
請求項１１に係る発明は、前記仕切り板は、後方部分の高さが、前方部分の高さより高いことを特徴とする請求項１０に記載の展示物品保持具に関する。
【発明の効果】
【００２２】
請求項１に係る発明によれば、上面を開口した函状体で内部に展示物品を保持する保持部と、保持部の背面上部に位置し保持部を陳列棚の柵等に掛止する掛止部を有する展示物品保持具であって、掛止部は、背面に対向し平行な対向面を成す掛止板と、保持部の背面を成す背板と掛止板を上方で接続する上板で形成されており、上板の裏面には、掛止板に対向して着脱自在に配置され、掛止板との間に陳列棚周縁の柵等を狭持する狭持板を備えることにより、様々な陳列棚の柵等にがたつき無く設置することができ、展示物品の出し入れ時にもがたつくことがなく、長期間の展示であっても物品を安定して保持できる。さらに、狭持する柵等に応じて保持部を取り替えることも可能であるので極端に厚い板状の柵や特殊な形状の柵の陳列棚であっても設置することができる。
【００２３】
請求項２に係る発明によれば、狭持板が湾曲しており、掛止板との最近接部分に掛止板に平行な平面部分を有することにより、陳列棚周縁の柵等を線接触ではなく面接触で狭持できるので、がたつきがなく安定して設置できる。
【００２４】
請求項３に係る発明によれば、平面部分の掛止板と対向する側の面に滑り止め部を有することにより、陳列棚周縁の柵等と平面部分の摩擦が大きくなり、がたつきがより生じ難い。
【００２５】
請求項４に係る発明によれば、狭持板は、側面視略Ｓ字状をなすことにより、陳列棚周縁の柵等の形状が、板状だけでなくパイプ状等であっても、がたつきがなく設置することができ、物品を安定して保持できる。
【００２６】
請求項５に係る発明によれば、保持部の左右側面の一方に係合部を、他方に被係合部を夫々備え、これら係合部と被係合部とを互いに係合することにより複数個連結可能であることから、連結することで展示物品保持具が単独で移動しないので陳列棚に人がぶつかったりしても設置位置からずれ難い。さらに、複数個の展示物品保持具夫々の狭持板で陳列棚周縁の柵等を狭持できるので、より強固に設置することができ、がたつきを防止できる。
【００２７】
請求項６に係る発明によれば、保持部の前面を覆う透明部材を備えることにより、保持部前面に透明部材でポップ広告を挟んで、展示物品の情報や説明を表示でき、宣伝効果を得ることができる。また、透明部材がカバーとなるのでポップ広告の汚れを防止できる。
【００２８】
請求項７に係る発明によれば、保持部の幅が保持部に保持される展示物品と略同じであることにより陳列する商品１列毎に物品を展示することができる。
【００２９】
請求項８に係る発明によれば、円筒形容器を落下させることなく、商品棚の前面に張り出して展示できる。
【００３０】
請求項９に係る発明によれば、化粧料用容器を落下させることなく、商品棚の前面に張り出して展示できる。
【００３１】
請求項１０に係る発明によれば、掛止板の少なくとも一方の側端部において、掛止板と直角を成し、掛止板の後方へ延伸するように立設される仕切り板が着脱可能に設けられていることにより、陳列する商品を容易に整列させることができる。
商品を載置するトレイ部（底板）を有さないので、既に商品が陳列された陳列棚に商品を一旦取り除くことなく設置できる。また、運搬や保管時には仕切り板を取り外すことができるので嵩張ることもない。
【００３２】
請求項１１に係る発明によれば、仕切り板は、後方部分の高さが、前方部分の高さより高いことにより、重心位置を仕切り板の後方とすることができるので、狭持板を用いなくとも展示物品保持具が前傾して落下することがない。そのため周縁部に柵等を備えていない陳列棚にも利用することができる。
【図面の簡単な説明】
【００３３】
【図１】本発明に係る展示物品保持具を示す斜視図である。
【図２】本発明に係る展示物品保持具を示す側方中央断面図である。
【図３】本発明に係る展示物品保持具を示す底面図である。
【図４】本発明に係る展示物品保持具の狭持板を示す側面図及び斜視図である。
【図５】本発明に係る展示物品保持具の掛止状態を示す側方断面図である。
【図６】本発明に係る展示物品保持具の展示物品保持状態を示す平面図である。
【図７】本発明に係る展示物品保持具の使用例を示す斜視図である。
【図８】本発明に係る展示物品保持具の後方斜視図である。
【図９】本発明に係る展示物品保持具の仕切り板を示す図である。
【図１０】本発明に係る展示物品保持具の仕切り板を取り付けた状態を示す図である。
【発明を実施するための形態】
【００３４】
以下、本発明に係る展示物品保持具の好適な実施形態について、図面を参照しつつ説明する。
図１は、本発明に係る展示物品保持具を示す斜視図である。図２は、本発明に係る展示物品保持具を示す側方中央断面図である。図３は、本発明に係る展示物品保持具を示す底面図である。
なお、図１に示す方向ａ、ｂ、ｃ、ｄを夫々展示物品保持具（１）の前、後、左、右とする。
【００３５】
図１、２に示すように、展示物品保持具（１）は上面を開口した函状体の保持部（２）と保持部（２）の背面上部に位置する掛止部（３）を有している。展示物品保持具（１）は、掛止部（３）を商品棚等の最前面に設置された落下防止柵に掛止させて使用され、保持部（２）にて化粧料等が封入されたスプレー缶等の円筒形容器の下部を保持する。
保持部（２）及び掛止部（３）の材質は特に限定されないが、例えば、ポリスチレン樹脂、アクリロニトリル−ブタジエン−スチレン樹脂（ＡＢＳ樹脂）、アクリロニトリル−スチレン樹脂（ＡＳ樹脂）、ポリプロピレン樹脂等の汎用プラスチック等が挙げられる。また、金属材料等でも良い。
展示物品保持具（１）の色彩は、特に限定されず、通常、白色であるが、意匠性を考慮して、青色、黒色等で着色されていても良く、透明であっても良い。
また、保持部（２）及び掛止部（３）の厚みは、特に限定されないが、強度を保持させる観点から、０．５〜３ｍｍの範囲で成型されることが好ましい。
【００３６】
保持部（２）の前面は、図１に示すように板状の透明部材（２１）で覆われていることが好ましい。
透明部材（２１）に用いられる材質は、透明素材であれば特に限定されないが、例えば、ポリエチレンテレフタレート（ＰＥＴ）、ポリカーボネイト（ＰＣ）、ポリプロピレン（ＰＰ）等の樹脂を例示することができる。また、意匠性、広告性の観点から、青色や赤色等の有色透明であっても良い。
透明部材（２１）の厚みは、弾性変形を行う程度の厚みであれば特に限定されないが、通常、０．２〜０．６ｍｍである。
【００３７】
透明部材（２１）の取付方法は特に限定されないが、本実施形態では図２、３に示すように保持部（２）の底面前方部分に接着され、保持部（２）の底面の前端を基端部として屈折されており、その先端部は保持部（２）の前面上部で係止されている。
このように取り付けることで、商品名や値段或いはポップ広告等、展示物品の情報や説明を表示する場合に、保持部（２）の前面に直接貼付したり、別途表示具を設けたりしなくても透明部材（２１）で挟んで表示できるとともに、表示の差し替えが容易に行うことができる。
また、透明部材（２１）で挟んで表示することで、ポップ広告等の汚れを防止することもできる。
【００３８】
掛止部（３）は、保持部（２）の背面に対向し平行な対向面を成す掛止板（３１）と、保持部（２）の背面を成す背板（２２）と掛止板（３１）を上方で接続する上板（３２）で形成されている。
掛止板（３１）の下端部は背板（２２）の高さＨの略半分の高さ乃至やや上方に位置し、上端部は背板（２２）の上端部よりやや上方に位置している。
上板（３２）は背板（２２）の上端部と掛止板（３１）の上端部とを接続している。上板（３２）は掛止板（３１）の上端部より前方に僅かに水平部分を有し、背板（２２）の上端部に向けて下方に傾斜している。
なお、掛止板（３１）の高さは、商品棚等の最前面に設置された落下防止柵の高さに合わせて適時成型されれば良く特に限定されるものではないが、上記した高さとすることで、試供品等の展示物品を陳列商品より低く保持できるので、陳列された商品を取り出し易いとともに、手が当たることによる商品棚からの落下を防止することができる。
【００３９】
上板（３２）の裏面には図１、２に示すように着脱自在な狭持板（４）が掛止板（３１）に対向するように取り付けられている。なお、図３は狭持板（４）を取り外した状態である。
狭持板（４）を備えることにより、狭持板（４）と掛止板（３２）の間に陳列棚の柵等を狭持できるので、単に掛止部（３）を陳列棚の柵等に掛止する展示物品保持具とは異なり、狭持板（４）を備えるだけの簡便な構造で、様々な陳列棚の柵等にがたつき無く設置することができ、展示物品の出し入れ時にもがたつくことがなく、長期間の展示であっても物品を安定して保持できる。
【００４０】
図４は狭持板（４）を示す図で、図４（ａ）に側面図、図４（ｂ）に後方斜視図を示す。
図４（ａ）に示すように、狭持板（４）の先端部（４１）前方には係止突起（４１１）が形成されている。
狭持板（４）の材質としては、特に限定されないが、例えば、ポリスチレン樹脂、アクリロニトリル−ブタジエン−スチレン樹脂（ＡＢＳ樹脂）、アクリロニトリル−スチレン樹脂（ＡＳ樹脂）、ポリプロピレン樹脂等の汎用プラスチック等が挙げられる。また、金属材料等でも良い。
狭持板（４）の色彩は、特に限定されず、通常、白色であるが、意匠性を考慮して、青色、黒色等で着色されていても良く、透明であっても良い。
また、狭持板（４）の厚みは、特に限定されないが、強度を保持させる観点から、０．５〜３ｍｍの範囲で成型されることが好ましい。
【００４１】
展示物品保持具（１）は、図２に示す上板（３２）の裏面に形成された取付部（３２１）に先端部（４１）を挿入することで、図３に示すように係止突起（４１１）を係止させて狭持板（４）を取り付けている。
先端部（４１）を後方に押すと、係止突起（４１１）の係止が外れ、狭持板（４）を抜脱することができる。
【００４２】
狭持板（４）が着脱可能であるので、狭持する柵等の形状に応じて狭持板（４）を取り替えることが可能であり特殊な形状の柵の陳列棚であっても設置することができる。さらに、極端に厚い板状の柵等の場合には狭持板（４）を取り外した状態で、掛止部（３）を掛止させて設置することもできる。
【００４３】
背板（２２）には、図１、２に示すように狭持板（４）に対向する位置に開口部（２２１）を有することが好ましい。このような開口部（２２１）を設けることで、狭持板（４）を抜脱する時に、先端部（４１）を後方へ押し易くすることができる。
【００４４】
狭持板（４）は、図２に示すように背板（２２）との最近接部分に背板（２２）と平行な平面部分（４２）を有していることが好ましい。このような平面部分（４２）を有することで、図５（ａ）に示す使用状態のように、陳列棚周縁の柵（Ｆ）が板状のものである場合に、背板（２２）と狭持板（４）との間に面接触で狭持できるので、接触面積が大きく摩擦が大きくなり、展示物品保持具（１）をがたつきがなく安定して設置することできる。
【００４５】
さらに、図４（ｂ）に示すように、平面部分（４２）には滑り止め部（４２１）を備えていることが好ましい。滑り止め部（４２１）を設けることにより、より面接触での摩擦が大きくなり展示物品保持具（１）のがたつきをより発生させ難くすることができる。
なお、本実施形態では滑り止め部（４２１）は、平面部分（４２）に設けられた左右方向に延びる平行な複数の突条としているが、これに限定されるものではなく、例えばゴム等の樹脂を平面部分に貼付して形成しても良い。
【００４６】
また、狭持板（４）は図４（ａ）に示すように側面視略Ｓ字状であることが好ましく、狭持板（４）が先端部（４１）から掛止板（３１）と平行に立設する平面部分（４１２）を有し更に側面視略Ｓ字状であることがより好ましい。これにより、図５（ｂ）に示す使用状態のように、陳列棚周縁の柵（Ｆ）がパイプ等のように断面円形状のものである場合にも、狭持板（４）の湾曲部分と掛止板（３１）で狭持できるので、展示物品保持具（１）をがたつきがなく設置することができ、物品を安定して保持することができる。
【００４７】
図６は、展示物品保持具（１）の展示物品保持状態を示す平面図である。図７は、展示物品保持具（１）の使用例を示す斜視図である。
【００４８】
展示物品保持具（１）は保持する展示物品（Ｄ）の幅と略同じであることが好ましい。
例えば図６及び図７に示すように、展示物品（Ｄ）が円筒形容器である場合、保持部（２）の左右の側板に薄肉部（２３）を設けると良い。
図６に示すように薄肉部（２３）に展示物品（Ｄ）の外径部分が入り込むことにより展示物品保持具（１）の幅を展示物品（Ｄ）の外径（幅）と略同じにできるので、異なる商品を隣接させて陳列する場合であっても、陳列する商品１列毎に展示物品（Ｄ）を展示することができるからである。
【００４９】
また、保持部（２）の右側面及び左側面には図３に示すように夫々、係合部（２４１）とこれと対になる被係合部（２４２）を有することが好ましい。
同形状で異なる商品を隣接させて陳列し、その夫々に試供品等の展示物品（Ｄ）を展示する場合、係合部（２４１）を隣接する展示物品保持具（１）の被係合部（２４２）に係合させることによって図７に示すように複数の展示物品保持具（１）を連結でき、陳列商品１列毎に展示物品（Ｄ）を展示することができるからである。
【００５０】
このように連結することで展示物品保持具（１）が単独で移動しないので陳列棚に人がぶつかったりしても設置位置からずれ難く、さらに複数個の展示物品保持具（１）夫々の狭持板（４）で陳列棚周縁の柵等を狭持できるので、より強固に設置することができ、がたつきを防止することできる。
なお、本実施形態では、係合部（２４１）及び被係合部（２４２）は、保持部（２）左右側面の下端部に設けた凸条及び凹条としているが、位置及び形状は特に限定されるものではない。
【００５１】
本実施形態はスプレー缶やボトル等の円筒形容器に特に有効な物であるが、これに限定されるものではなく、楕円柱形容器や多角柱形容器等にも適用できる。
【００５２】
図８は、展示物品保持具（１）を示す後方斜視図である。
掛止板（３１）の下端部には、図８に示すように掛止板（３１）の後方へ延伸する仕切り板を取り付け可能な嵌合部（３１１）を備えている。
【００５３】
図９に、嵌合部（３１１）に取り付けられる仕切り板（５）を示す。
仕切り板（５）は、図９に示すように前方端部に嵌合部（３１１）と対になる被嵌合部（５１）を備えている。
仕切り板（５）の材質は、特に限定されないが、例えば、ポリスチレン樹脂、アクリロニトリル−ブタジエン−スチレン樹脂（ＡＢＳ樹脂）、アクリロニトリル−スチレン樹脂（ＡＳ樹脂）、ポリプロピレン樹脂等の汎用プラスチック等が挙げられる。また、金属材料等でも良い。
仕切り板（５）の色彩は、特に限定されず、通常、白色であるが、意匠性を考慮して、青色、黒色等で着色されていても良く、透明であっても良い。
また、仕切り板（５）の厚みは、特に限定されないが、強度を保持させる観点から、０．５〜３ｍｍの範囲で成型されることが好ましい。
【００５４】
展示物品保持具（１）は、被嵌合部（５１）に嵌合部（３１１）を嵌合させることによって、仕切り板（５）を取り付けている。
従って、仕切り板（５）は、掛止板（３１）に容易に着脱することができる。そのため、展示物品保持具（１）は、運搬や保管時に仕切り板（５）を分離することができるので嵩張ることはない。
【００５５】
図１０は、展示物品保持具（１）の掛止板（３１）に仕切り板（５）を取り付けた状態を示す図である。
展示物品保持具（１）は、図１０に示すように、掛止板（３１）の左側端部において、掛止板（３１）と直角を成して掛止板（３１）の後方へ延伸するように立設された仕切り板（５）を取り付けている。
【００５６】
仕切り板（５）を備えることにより、展示物品保持具（１）の後方に陳列される商品を仕切り板（５）に倣わせて容易に整列させることができる。
また、このように構成することで、従来の商品陳列用具等とは異なり、商品を載置するトレイ部（底板）を有さないので、既に商品が陳列された陳列棚に設置する際に、商品を一旦取り除く必要がなく作業性に優れるとともに、商品の陳列が乱れ難く安定に陳列展示することができる。
なお、本実施形態では仕切り板（５）は、掛止板（３１）の左側端部に位置しているが、これに限定されず、右側端部に位置しても良く、又は両側端部に位置しても良い。
【００５７】
仕切り板（５）は、図９に示すように前方部分（５２）の高さより、後方部分（５３）の高さが高く成型されている。より詳しくは、前方部分（５２）の高さに比べ後方部分（５３）の高さが３〜５倍程度になっている。
【００５８】
このように、後方部分（５３）の高さを高くすることで重心位置を仕切り板（５）の後方とすることができるので、狭持板（４）を用いなくとも展示物品保持具（１）が前傾して落下することがない。そのため、展示物品保持具（１）は、周縁部に柵等を備えていない陳列棚にも利用することができる。
【００５９】
なお、仕切り板（５）の前方部分（５２）及び後方部分（５３）の高さは、陳列棚前方に張り出して配置される保持部（２）と保持部（２）に保持される展示物品の重さによって展示物品保持具（１）が前傾しない程度に重心が後方になれば良く、仕切り板（５）の形状、高さ等、特に限定されることはない。
例えば前方部分（５２）と後方部分（５３）の区別が無く前方から後方に亘って徐々に高くなる様な形状であっても良い。
【００６０】
本発明は、芳香剤、整髪剤、制汗剤等の化粧料のように買い物客に香りや使用感を実感させるために試用させることが有用である物品の展示に特に有効であるが、これに限定されるものではなく、塗料、室内用や車内用の芳香剤、菓子類等にも適用できる。
【産業上の利用可能性】
【００６１】
本発明は、物品を陳列棚等の前面に張り出して試供品等を展示する展示物品保持具に利用できる。
【符号の説明】
【００６２】
１      展示物品保持具
２      保持部
２１    透明部材
２２    背板
２４１  係合部
２４２  被係合部
３      掛止部
３１    掛止板
３２    上板
４      狭持板
４２    平面部分
４２１  滑り止め部
５      仕切り板
５２    前方部分
５３    後方部分
Ｄ      展示物品
Ｆ      柵
【図１】
2010172508.tif 000003
【図２】
2010172508.tif 000004
【図３】
2010172508.tif 000005
【図４】
2010172508.tif 000006
【図５】
2010172508.tif 000007
【図６】
2010172508.tif 000008
【図７】
2010172508.tif 000009
【図８】
2010172508.tif 000010
【図９】
2010172508.tif 000011
【図１０】
2010172508.tif 000012